(57)【要約】  サービス獲得を制御する方法およびこれを行うように配置され構成されたＷＬＡＮデバイス（３００）が、第２ＷＬＡＮデバイスに結合するトランシーバ（３０１）と、ユーザと対話するユーザＩ／Ｏ（３０５）と、トランシーバ（３０１）がサービス獲得モードに入り、これによって前記第２ＷＬＡＮデバイスに結合されるかどうかを判断するコントローラ（３０３）とを備え、判断が、ＷＬＡＮデバイス（３００）の現在の環境に対応するパラメータを判定する工程（５０５）と、比較するためにパラメータを所定の値と比較する工程（５０７）であって、所定の値が、部分的に、ＷＬＡＮデバイス（３００）に関してサービスが望ましい環境を定義する、工程と、判断を提供するためにルールに従って比較を分析する工程（５０９）と、判断が好ましいものである場合に、サービス獲得モードをイネーブルにする工程（５１１、５１３）と、そうでない場合に、サービス獲得を差し控える工程（５１１）とを含む。
2005512422.tif 000002
【特許請求の範囲】
【請求項１】
無線ローカル・エリア・ネットワーク（ＷＬＡＮ）デバイスでのサービス獲得を制御する方法であって、
該ＷＬＡＮデバイスの現在の環境に対応するパラメータを判定する工程と、
比較するために前記パラメータを所定の値と比較する工程であって、同所定の値が、部分的には、該ＷＬＡＮデバイスのためのサービスが望ましい環境を定義することと、
判断するためにルールに従って前記比較を分析する工程と、
該判断が好ましいものである時にサービス獲得モードをイネーブルにする工程と、
該判断が好ましくないものである時に前記サービス獲得モードを差し控える工程と
を含む、方法。
【請求項２】
パラメータを判定する前記工程が、セルラ・ゾーンＩＤ、全地球測位システム（ＧＰＳ）信号、および信号強度測定値の１つを使用して、前記ＷＬＡＮデバイスの位置を判定する工程を含む請求項１に記載の方法。
【請求項３】
パラメータを判定する前記工程が、前記ＷＬＡＮデバイスで時刻を判定する工程を含む請求項１に記載の方法。
【請求項４】
パラメータを判定する前記工程が、サービスの必要の検出およびスケジュール・データベースへの参照の１つを含む、前記ＷＬＡＮデバイスに関連する状態を判定する工程を含む請求項１に記載の方法。
【請求項５】
パラメータを判定する前記工程が、前記ＷＬＡＮデバイスの位置、時刻、および状態の組合せを判定する工程を含む請求項１に記載の方法。
【請求項６】
サービス獲得を制御するように配置され構成された無線ローカル・エリア・ネットワーク（ＷＬＡＮ）デバイスであって、
第２ＷＬＡＮデバイスに結合するトランシーバと、
ユーザと対話するユーザ入出力（Ｉ／Ｏ）と、
前記ユーザＩ／Ｏおよび前記トランシーバに結合され、前記トランシーバがサービス獲得モードに入り、これによって前記第２ＷＬＡＮデバイスに結合されるかどうかを判断するコントローラと
の組合せからなり、該判断が、
該ＷＬＡＮデバイスの現在の環境に対応するパラメータを判定する工程と、
比較するために前記パラメータを所定の値と比較する工程であって、前記所定の値が、部分的に、該ＷＬＡＮデバイスに関してサービスが望ましい環境を定義する工程と、
判断するためにルールに従って前記比較を分析する工程と、
該判断が好ましいものである場合に、前記サービス獲得モードをイネーブルにする工程と、
該判断が好ましくないものである場合に、前記サービス獲得モードを差し控える工程と、
によるＷＬＡＮデバイス。
【請求項７】
パラメータを判定する前記工程が、セルラ・ゾーンＩＤ、全地球測位システム（ＧＰＳ）信号、および信号強度測定値の１つを使用して前記ＷＬＡＮデバイスの位置を判定する工程を含む請求項６に記載のＷＬＡＮデバイス。
【請求項８】
パラメータを判定する前記工程が、前記ＷＬＡＮデバイスで時刻を判定する工程を含む請求項６に記載のＷＬＡＮデバイス。
【請求項９】
パラメータを判定する前記工程が、サービスの必要の検出およびスケジュール・データベースへの参照の１つを含む、前記ＷＬＡＮデバイスに関連する状態を判定する工程を含む請求項６に記載のＷＬＡＮデバイス。
【請求項１０】
パラメータを判定する前記工程が、前記ＷＬＡＮデバイスの位置、時刻、および状態の組合せを判定する工程を含む請求項６に記載のＷＬＡＮデバイス。
【発明の詳細な説明】
【技術分野】
【０００１】
本発明は、全般的には通信システムに関し、より詳細には、無線ローカル・エリア・ネットワーク・デバイスにおける、サービス獲得（ｓｅｒｖｉｃｅ  ａｃｑｕｉｓｉｔｉｏｎ）を制御する方法およびシステムである。
【背景技術】
【０００２】
ローカル・エリア・ネットワーク（ＬＡＮ）は、ますます普及しつつある。無線ＬＡＮ（ＷＬＡＮ）が、家庭や小企業で展開され、計画されている。これらのＷＬＡＮは、しばしば、有線ネットワークに必要な設置および保守を置き換える、または回避すると同時に、ＷＬＡＮのユーザに、移動の限定された自由を提供する手段である。さまざまなプロトコルまたはさまざまなタイプのシステムについて通信デバイス間の動作またはインターフェースを記述するさまざまな仕様が、入手可能または開発中である。
【０００３】
ＷＬＡＮシステムの例には、Ｂｌｕｅｔｏｏｔｈ、Ｈｏｍｅ  ＲＦ、８０２．１１ａ、および８０２．１１ｂシステムならびにヨーロッパで提案されている類似するシステムが含まれる。これらのシステムはすべて、それぞれの仕様に従って動作する機器が、システム内の１つ以上の別のユニットとの接続を形成するために使用する、ある形態のサービス獲得モードを有する。このシステム全般のアドホックな性質に起因して、他のユニットが使用可能であるかどうか、また、そうである場合に所望のサービスが使用可能であるかどうかはわからない。これらのシステムのほとんどが、多数の「チャネル」を有する周波数ホッピングまたは他のスペクトラム拡散方式に従ってＩＳＭ周波数帯で動作するので、サービス獲得手順は、非常に複雑で、時間が比較的長く、サービスが獲得される保証なしに多数の伝送および他の電力のかかる手順を必要とする。獲得の試みは、匿名性によって提供され得るセキュリティ（存在を知らないものをハックすることは不可能）の消失をもたらす可能性があり、繰り返される試みによって、多かれ少なかれ移動の自由にとって欠かせないバッテリ駆動の無線ユニットのバッテリがたちまち使い果たされる可能性がある。
【０００４】
そこで、ＷＬＡＮデバイスでのサービス獲得を制御し、これによってＷＬＡＮデバイスのバッテリ寿命およびユーザのセキュリティを改善する方法および装置が求められている。
【特許文献１】米国特許第５，６８４，８０１号
【特許文献２】米国特許第５，８７５，１８５号
【特許文献３】米国特許第６，０６９，８８７号
【特許文献４】米国特許第６，４７７，１５６号
【発明を実施するための最良の形態】
【０００５】
添付図面は、類似する符号は複数の図を通じて同一のまたは機能的に類似する要素を指し、本明細書に組み込まれてその一部を形成し、本発明によるさまざまな実施形態をさらに示す。図面は、以下の詳細な説明と共に、本発明によるさまざまな原理および長所を説明する。
【０００６】
概要の形で、本開示は、ローカル・エリア・ネットワーク（ＬＡＮ）内で動作するＬＡＮデバイスまたはＬＡＮユニットあるいはより具体的にはそのユーザにサービスを提供する、アドホック通信システムまたはアドホック通信ネットワークに関する。より具体的には、サービス獲得アクティビティの制御の方法および装置で実施されるさまざまな発明的概念および原理を述べるが、そのような制御を求める動機は、バッテリ寿命を延ばし、デ
バイスまたはデバイスのユーザのセキュリティを高めることである。特に重要なシステムは、無線ＬＡＮ（ＷＬＡＮ）、たとえば、一般にＢｌｕｅｔｏｏｔｈ、Ｈｏｍｅ  ＲＦ、８０２．１１ａおよび８０２．１１ｂと称するものならびに計画および展開のさまざまな段階にある類似物である。
【０００７】
下記でさらに説明するように、さまざまな発明的原理およびその組合せを有利に使用して、獲得が成功する可能性が最も高く、必要とされる可能性が最も高い境遇または情況または環境へのサービス獲得を制限または制御し、したがって、既知のシステム、デバイス、および手順に関連するバッテリ消耗およびセキュリティの問題が軽減されると同時に、これらの原理またはそれと等価のものが使用される場合にデバイスまたはユーザのサービス要求が実現される。
【０００８】
本開示は、本発明によるさまざまな実施形態の作成および使用の最良の態様を可能にする形でさらに説明するために提供される。本開示は、さらに、いかなる形であれ本発明を制限するのではなく、発明的原理およびその長所の理解および評価を高めるために提供される。本発明は、本願の係属中に行われる補正、および請求項のすべての均等物を含む添付の特許請求の範囲によってのみ定義される。
【０００９】
第１および第２、最上部および最下部、ならびに類似物などの関係用語の使用が、実体または動作の間の実際の関係または順序を必ずしも必要とせず、暗示せずに、ある実体または動作を別の実体または動作から区別するだけのために使用されることを理解されたい。発明的機能性の多くおよび発明的原理の多くが、ソフトウェア・プログラムまたはソフトウェア命令を用いてまたはそれにおいて最もよく実施される。本明細書に開示される概念および原理によって案内される時に、たとえば使用可能な時間、現在の技術、および経済的考慮事項によって動機づけられるおそらくは多大な努力および設計選択にもかかわらず、当業者が、最小限の実験でそのようなソフトウェア命令およびソフトウェア・プログラムを簡単に生成し得ると期待される。したがって、そのようなソフトウェアのさらなる説明は、あるとしても、本発明による原理および概念を不明瞭にする危険性を最小にし、簡潔にするために、省略する。
【００１０】
本開示では、本発明によるさまざまな実施形態を説明する。これらの実施形態には、前述のそれぞれまたはすべてを実施する方法、通信デバイス、および通信システムが含まれる。単純化された代表的な図である図１を参照して、無線ローカル・エリア・ネットワーク（ＷＬＡＮ）デバイスが遭遇する可能性があるさまざまな情況を説明する。図１は、主に、図示された単純化されたレベルで、代表的な図であり、問題およびそれに対する発明的解決を説明するので、これによって、本発明およびその利益のより深い理解の基礎がもたらされる。
【００１１】
このＷＬＡＮデバイス１０３は、ポータブル・コンピュータ、セル電話機、ヘッドセット、携帯情報端末（ＰＤＡ）、メッセージング・デバイス、無線ウォレットなどを含む、ほぼすべてのものとすることができる。いつか、ほぼすべてのものが１つ以上の他のものにリンクされると考える人がいる。この開示において、本発明者らは、デバイスがＰＤＡであると仮定するが、任意の数の他のものまたは他のものの集合的組合せも仮定し得ることに留意されたい。本発明者らは、このデバイスがＢｌｕｅｔｏｏｔｈを備えたＰＤＡであることも仮定する。ＷＬＡＮデバイスのユーザ、したがってデバイスが行くことが可能なさまざまな位置が示されている。たとえば、家庭１０１、仕事場１０５、空港１０７、および複数の他の会社（１つを図示）１０９が図示されている。さらに、デバイス１１１および１１３などの複数の他のＷＬＡＮデバイスに出会う可能性がある。家庭１０１で、デバイス１０３が、この位置のネットワーク・アクセス・ポイント（ＮＡＰ）１１５に出会い、ＷＬＡＮデバイスが、さまざまなデータへのアクセスを与えられることにも留意さ
れたい。ＮＡＰは、本質的に、もう１つのＷＬＡＮデバイスであるが、バッテリではなく電源を備え、固定された位置にある可能性が高い。これらのＮＡＰは、通常は、有線ＬＡＮ１１７に接続され、したがって、ローカルに配置されるかインターネットなどの広域ネットワーク上で使用可能のいずれかである１つ以上のサーバまたはデータベース１１９に接続される。
【００１２】
Ｂｌｕｅｔｏｏｔｈを備えた機器を仮定したので、Ｂｌｕｅｔｏｏｔｈ仕様によって定義されるシステムの概要を示す。Ｂｌｕｅｔｏｏｔｈシステムは、低電力の非常に範囲を制限された周波数ホッピング式システムであり、好ましくは２．４ＧＨｚ範囲の周波数帯で動作する。この動作周波数帯は、ほとんどの国で、１ＭＨｚ離れた７９個のチャネルからなり（国によっては２３チャネル）データ・レートは１Ｍｂｐｓであり、ｇａｕｓｉａｎ  ｆｒｅｑｕｅｎｃｙ  ｓｈｉｆｔ  ｋｅｙｅｄ（ＧＦＳＫ）変調が使用される。図１のＮＡＰおよび通信デバイスなどのＢｌｕｅｔｏｏｔｈデバイスは、アドホックを基にしたピコネット（ｐｉｃｏｎｅｔ）を形成することができ、各ピコネットは、マスタとして指定されたデバイスと、スレーブとして指定される、１以上（７つまで）のデバイスを有する。あるピコネットのマスタが、第２のまたはそれ以上のピコネットのスレーブになることも可能である。各マスタは特定の識別（ＩＤ）を有し、このＩＤによって、そのマスタに関連するピコネットが動作する、特定の周波数ホッピング・パターンおよびそのパターン内の位相が決定される。
【００１３】
所与のピコネット内で、マスタおよびスレーブは、通信接続を確立して、通信デバイスに関するサービスを実現し得る。これらの接続は、非同期、等時性（ｉｓｏｃｈｒｏｎｏｕｓ）、または同期式とすることが可能であり、前者は、パケットまたはパケットが切り換るアプリケーションに使用され、後者は、音声など、連続的または回路が切り換るアプリケーションに使用される。接続は、マスタまたはスレーブのいずれからでも開始し得る。たとえば、概要として（完全な説明はＢｌｕｅｔｏｏｔｈ仕様書にある）、スレーブは、照会シーケンスをブロードキャストし、マスタは、サポートされるサービスおよびＩＤを示すメッセージを用いて応答する。スレーブは、サービスが所望のサービスである場合に、サービス・アクセスまたは獲得ルーチンを完了する。
【００１４】
一般に、マスタは、スレーブとの接続を確立する時に割り当てられるアドレスによって識別される所与のスレーブに、１つのタイム・スロット中または周波数ホップ中に送信し、その同一のスレーブから、後続のタイム・スロット中に受信する。マスタは、次のタイム・スロットまたはホップ中に、別の識別されたスレーブに送信し、後続スロット中に受信する。スレーブが、マスタのカバーする地域を超えて移動し、このマスタの接続によるサービスの提供が不成功の時に、タイム・アウト期間の経過後に、接続がマスタおよびスレーブによって捨てられる。スレーブは、さらなるサービス獲得アクティビティに入り、このサービス獲得アクティビティには、別のピコネットまたはマスタから使用可能なサービスを発見することを期待して、一連の、照会、サービス発見、およびアクセスが含まれる。
【００１５】
マスタが使用可能であり、応答し、適切なサービスおよび使用可能な容量を有すると仮定すると、別の周波数ホッピング・パターンで動作するこのマスタとの接続を確立することができる。残念ながら、これにはかなりの時間を要する場合があり、その間に、ウェブ・ベース・アプリケーションなどの外部サービスへのスレーブからの接続が打ち切られる場合もある。さらなる詳述、詳細、および背景については、本願の日付でその全体を参照によって本願明細書に援用される、ｗｗｗ．ｂｌｕｅｔｏｏｔｈ．ｃｏｍで入手可能なＢｌｕｅｔｏｏｔｈ仕様書を参照されたい。Ｈｏｍｅ  ＲＦおよび８０２．１１システムの仕様書は、同様にワールド・ワイド・ウェブを介して入手可能である。
【００１６】
また、家庭１０１に示されているように、デバイス１０３が、この位置でネットワーク・アクセス・ポイント（ＮＡＰ）１１５に出会い、ＷＬＡＮデバイスにさまざまなデータへのアクセスが提供されることに留意されたい。ＮＡＰは、本質的に、もう１つのＷＬＡＮデバイスであるが、バッテリではなく電源を備え、固定された位置にある可能性が高い。これらのＮＡＰは、通常は、有線ＬＡＮ１１７に接続され、したがって、ローカルに配置されるかインターネットなどの広域ネットワーク上で使用可能のいずれかである１つ以上のサーバまたはデータベース１１９に接続される。ＷＬＡＮデバイス１０３が、それが出会う可能性がある他のＷＬＡＮデバイスへの接続のために、必ずしもサービス獲得の試みを開始するかこれに応答することを望まないと言えば十分である。それを行うためには、バッテリ容量が必要であり、ある度合のセキュリティが放棄される。さらに、問題の３つの場所が、小さい都市の中であっても、その都市内の位置のほとんどが、デバイスにとって重要でないことに留意されたい。さらに、特にこれらのシステムが設置されつつある時に、都市のほとんどは、他のデバイスを有しない。したがって、サービス獲得を試みてランダムに探すことは、不成功になり、単にバッテリを消耗させる可能性が高い。
【００１７】
たとえば、通常、デバイス１０３が家庭の近くにある時に、ＮＡＰ１１５に接続するために、サービス獲得または発見アクティビティに取り掛かることが望まれる。同様に、デバイスが仕事場の近くにある時に、通常は、仕事場の適切なＮＡＰに接続することが望まれる。仕事場またはその近くに多数のＮＡＰがある場合があり、ＷＬＡＮデバイス１０３が、通常は、接続するものに対して選択的であることが求められ、これが、ユーザが仕事場にいる日時に依存する可能性があることに留意されたい。頻繁に訪れる会社以外の、食品雑貨店などで、デバイスが、１０９などの他の会社のＮＡＰに接続しようとしない可能性が高い。食品雑貨店の場合に、デバイスが、買い物をする日にその店のＮＡＰに接続しようとする場合がある。
【００１８】
他の位置で、ＷＬＡＮデバイス１０３は、おそらくはある環境または状況の下でのみ、ローカルＮＡＰに接続しようとする。たとえば、空港で、２時間以内に出発する予定であるか、空港で、来る人を探す場合に、デバイスを、ゲート情報およびスケジュール情報について適切な航空ＮＡＰに接続させたくなる。しかし、荷物を受け取るか送り出す場合、または誰かと昼食をとる場合には、他のＮＡＰに接続したくない場合がある。したがって、ＷＬＡＮデバイスは、サービス獲得を試みるかどうか、およびいつ試みるかを判定し得る必要があり、本開示では、サービス獲得をそのように制御する、本発明によるさまざまな実施形態を説明する。
【００１９】
上記で示したように、さまざまなパラメータが、サービス獲得の制御または獲得を試みるかどうかの判断に役立つ。たとえば、位置、時刻、およびさまざまな他の状態タイプのパラメータまたはその組合せが役に立つ。位置の判定について、図２に、それを行うためにＷＬＡＮデバイスによって使用し得るさまざまなシステムを示す。最も明白なものは、セル電話機システム２０１であろう。セルＩＤを知ることによって、位置に関するある情報が得られる。たとえば、家庭１０１は、セルｃ−９内にあり、そのセルは、特定のセルＩＤを有する。仕事場１０５は、観察によって、セルｃ−１、ｃ−３、およびｃ−４内にあり、これらも、特定のＩＤを有する。デバイス１０３は、経路２０７に沿って家庭から仕事場に移動するか運ばれる際に、セルｃ−６およびｃ−７でサービス獲得を差し控えなければならない。
【００２０】
より一般的になりつつある位置判定のもう１つの手法が、ＧＰＳ衛星２０３などの図示の全地球測位システムから判定される地理的座標である。もう１つの手法が、ＷＧＮ２０５などのある放送塔からの信号強度測定である。これらの事例のそれぞれで、仮定されるＰＤＡは、関連する情報を得るために、セル電話機、ＧＰＳ受信器、放送受信器の１つ以上にアクセスする必要がある。これは、実用的な問題にならないと予想される。というの
は、ＰＤＡに、セル電話機または放送受信器あるいはいくつかの場合にＧＰＳ受信器が含まれる場合があるからである。含まれない場合であっても、ＰＤＡのユーザが、これらのデバイスの１つを有する可能性が高く、当業者は、適切な情報をＰＤＡに移植し得る。さらに、これらの他の受信器は、Ｂｌｕｅｔｏｏｔｈベースのデバイスも含む可能性が高く、関連情報が、それらの１つから、Ｂｌｕｅｔｏｏｔｈ接続を使用してＰＤＡに結合される。
【００２１】
図３を参照して、本発明によるＷＬＡＮデバイス３００の好ましい実施形態のブロック図を説明する。このＷＬＡＮデバイス３００は、上記でデバイス１０３に関して述べたものなどの状況の下でのサービス獲得を制御するように配置され、構成される。ＷＬＡＮデバイス３００には、Ｂｌｕｅｔｏｏｔｈ、Ｈｏｍｅ  ＲＦ、８０２．１１および類似物などの１つ以上のプロトコルによる第２のまたは複数の他のＷＬＡＮデバイスへの結合のためのトランシーバ３０１が含まれる。さらに、トランシーバおよびユーザ入出力（Ｉ／Ｏ）機能３０５に結合されるコントローラ３０３が含まれる。ユーザＩ／Ｏ３０５に、キーボード３０７、ディスプレイ３０９、必要な場合にオーディオ３１１、具体的にはマイクロホンまたはスピーカなど、通常はユーザとの対話に関連する既知の形で動作するさまざまな機能が含まれる。図には、ポート３１３も示され、ポート３１３を、たとえば位置情報を提供するために、セル電話機、ＧＰＳ受信器、放送受信器、またはおそらくはコンピュータ（図示せず）などの外部デバイスに３１５で結合することが可能である。
【００２２】
コントローラ３０３には、プロセッサ３２７が含まれ、プロセッサ３２７は、広く入手可能であるマイクロプロセッサ・ベースのプロセッサであることが好ましく、メモリ３１７に結合される。メモリ３１７では、既知の技術が使用され、メモリ３１７は、とりわけ、プロセッサによって実行される時にソフトウェア命令を記憶するのに使用され、ここではＢｌｕｅｔｏｏｔｈであることが好ましい関連システム仕様に従ってトランシーバおよびユーザＩ／Ｏの動作をコントローラが制御することをもたらす。コントローラは、前記ユーザＩ／Ｏおよび前記トランシーバに結合され、トランシーバ３０１がその制御の下でサービス獲得モードに入り、これによって、１つ以上の他のＷＬＡＮデバイスに結合するかどうかを判断する。
【００２３】
メモリ３１７には、スケジュール・ルーチンおよびデータベース３１８も含まれ、スケジュール・ルーチンおよびデータベース３１８は、ＰＤＡで見られるものなどのスケジュールをユーザのために維持するのに使用される。会議または旅行の時刻、日付、会議室、航空機のフライト番号などを期待することが可能である。さらに、パラメータ判定ルーチン３１９があり、これは、時刻、位置、および状態など、個々にまたは組み合わせてＷＬＡＮデバイスの現在の環境に対応する１つ以上のパラメータを判定する。時刻パラメータは、クロック３２９から入手可能であり、本明細書で使用される時刻に、日、日付、年などの暦情報も含まれることを理解されたい。位置パラメータは、上記で説明した適切なデバイスとのＷＬＡＮ接続によって、接続３３３でポート３３１を介して、またはポート３１３を介するユーザＩ／Ｏからのいずれかによって入手可能である。具体的に言うと、ＷＬＡＮデバイスは、セルラ・ゾーンＩＤ、全地球測位システム（ＧＰＳ）信号、または信号強度測定を使用して位置を判定することが可能である。
【００２４】
状態情報または、時々示されるステートフル（ｓｔａｔｅｆｕｌ）情報はより興味深く、主に人の想像力によって制限される。たとえば、飛行が次の１時間以内にスケジューリングされるか、会議が火曜日にスケジューリングされ、その会議は毎週行われ、あるいは、既知のＷＬＡＮデバイスが接続のセットアップを試みているか、バッテリがほとんど消耗する、のすべてが、単独でまたは位置パラメータおよび時刻パラメータと組み合わされてサービス獲得アクティビティが行われるかイネーブルされるかどうか、およびどのサービス獲得アクティビティが行われるかイネーブルされるかに影響する状態情報の例である
。たとえば、空港におり、飛行が１時間以内などにスケジューリングされている場合に、ＷＬＡＮデバイスが、ゲートおよび最新のスケジュール情報を得るために、飛行が計画されている航空路のＬＡＮに関するサービス獲得を試みることが望まれる。火曜日の会議の時刻であり、仕事場におり、前の週に財務ＬＡＮに接続した場合に、もう一度そうしたいと思う可能性が高い。要するに、状態の判定は、ＷＬＡＮデバイスあるいは具体的にはＷＬＡＮのユーザに関連する状況の判定である。これに、サービスまたはスケジューリング・データベースへの参照の必要またはありそうな必要の検出を含めることが可能である。正しいパラメータの判定に、しばしば、位置、時刻、およびＷＬＡＮデバイスの状態の判定が含まれる。
【００２５】
さらに、メモリ３１７には、比較ルーチン３２１ならびに、時刻、位置、および状態の所定の値のデータベース３２３が含まれる。所定の値によって、部分的に、個別にまたは組み合わせて、ＷＬＡＮデバイスに関するある種のサービスを望ましいものとすることが可能な環境が定義される。これらの値は、家庭、仕事場、空港、火曜日午前８時、ポート３３１に結合されたコンピュータ、などとすることが可能である。比較ルーチンは、上記で判定、査定、または測定されたパラメータを、適切な所定の値と比較し、したがって、１つ以上の比較をもたらすためのものである。
【００２６】
さらに、ルール・データベース３２５が含まれる。このルールは、たとえば図４に示されたルール１から４などである。コントローラは、ルールによる比較を分析して、サービス獲得を遂行するかどうか、および好ましくはどのＷＬＡＮデバイスからのどのサービスかに関する判断を提供する。判断が好ましいものの場合に、コントローラは、サービス獲得モードをイネーブルし、判断が好ましくないものの場合には、サービス獲得モードを差し控える。
【００２７】
所定の値およびルールを、メモリ内に複数の形で配置することが可能である。その１つが、ユーザ、デバイス製造業者、またはサービス・プロバイダがＷＬＡＮデバイスを事前にプログラムするためのものである。もう１つが、ユーザによってキーボードを介して値を記憶するように指示された時に、デバイスがさまざまな値を記憶するためのものである。最後に、ＷＬＡＮデバイスは、使用の履歴に基づいて、適切な値およびルールを記憶または学習し得る。たとえば、ｉｆ位置＝家庭、ホームＷＬＡＮに接続する、である。これらの原理および概念が、Ｂｌｕｅｔｏｏｔｈ、８０２．１１、Ｈｏｍｅ  ＲＦ、および類似物に基づく無線ＷＬＡＮ内で動作するように配置され、構成されたＷＬＡＮデバイスへの応用を有することが期待される。
【００２８】
図５を参照して、本発明による好ましい方法実施形態を説明する。これは、多少、上記の説明の一部の再検討の性質を有する。方法５００は、無線ローカル・エリア・ネットワーク（ＷＬＡＮ）デバイスでのサービス獲得を制御する工程である。この方法は、開始され、５０１で、サービス獲得に関する１つ以上のルールを確立する。５０３で、ルールと共に使用される位置、時刻、または状態のパラメータに関するさまざまな所定の値をセットまたは確立する。これらの所定の値によって、部分的に、ＷＬＡＮデバイスのある種類のサービスが望ましい環境が定義される。これらのアクティビティが、上記で暗示されるように、デバイスの使用時に進行中である可能性があることに留意されたい。いずれにせよ、５０５で、この方法によって、個々にまたは組み合わせてＷＬＡＮデバイスの現在の環境に対応する位置、時刻、および状態の１つ以上のパラメータが判定される。
【００２９】
５０７で、この工程によって、パラメータが、所定の値と比較されて、比較がもたらされる。１つ以上の比較が満足である場合に、この工程は、５０９に移動して、ルールに従って比較を分析して、判断をもたらす。比較が不満足である場合には、この工程は、工程５０５に戻り、環境の監視を継続する。５１１で、ルールによって判断をテストし、好ま
しいものの場合に、工程５１３で関連するサービス獲得モードをイネーブルし、好ましいものでない場合には、工程５０５に戻り、したがって、すべてのサービス獲得モードを差し控える。
【００３０】
上述したＷＬＡＮデバイス、システム、および工程、ならびにその発明的な原理および概念は、アドホックＷＬＡＮでの従来技術のサービス獲得方法論によって引き起こされる問題を軽減することを意図され、それを行うものである。サービス獲得を制御するこれらの原理を使用することは、デバイスが日常的にある位置から別の位置に移動される状況で使用されるＷＬＡＮデバイスのバッテリ消費を軽減し、無用なセキュリティ・リスクを避け、したがって移動する個人の接続性を実現するのを助ける。使用される原理の１つが、必要である可能性が高い条件の下または環境でのみサービス獲得をイネーブルすることである。さらに、上述した環境を学習または記憶するという原理および概念を使用することによって、ＷＬＡＮデバイスの利用がはるかに便利でユーザ・フレンドリになる。
【００３１】
バッテリ消耗を減らし、セキュリティの懸念を最小にするためにサービス獲得を制御する方法、システム、およびＷＬＡＮデバイスのさまざまな実施形態を述べ、説明した。本発明によるこれらの実施形態または他の実施形態が、ＰＳＴＮまたはインターネットなどの固定ＷＡＮに結合された多数の無線ローカル・エリア・ネットワークへの応用を有し、したがって、ユーザ・フレンドリ・サービスの提供がもたらされると期待される。本開示は、そのようなシステムおよび具体的にはそれによってまたはその中で使用される方法を含む構成要素または機器に拡張される。本明細書に記載の発明的原理および概念の使用は、ユーザおよびプロバイダに同様に有益であると期待される。
【００３２】
本開示は、本発明の真の所期の公平な範囲および趣旨を制限するのではなく、本発明によるさまざまな実施形態を形成し、使用する方法を説明することを意図されたものである。本発明は、本願の継続中に修正され得る請求項およびその均等物のみによって定義される。
【図面の簡単な説明】
【００３３】
【図１】無線ローカル・エリア・ネットワーク（ＷＬＡＮ）デバイスが出会う可能性がある情況を単純化された代表的な形で示す図。
【図２】位置を判定するためにＷＬＡＮデバイスによって使用し得るさまざまなシステムを示す図。
【図３】本発明によるＷＬＡＮデバイスの好ましい実施形態を示すブロック図。
【図４】図３のデバイスに関する例示的なルール・データベースを示す図。
【図５】本発明による好ましい方法実施形態を示す図。
【図１】
2005512422.tif 000003
【図２】
2005512422.tif 000004
【図３】
2005512422.tif 000005
【図４】
2005512422.tif 000006
【図５】
2005512422.tif 000007
【国際調査報告】
2005512422.tif 000008